(57)【要約】【課題】ロックケーシングから取外し可能なシャックルユニットとロックコアを備え、シャックルユニットおよびロックコアの取替えが可能なシャックルロックを提供する。【解決手段】ロックケーシング（１０、５０）と、ロックコア（２０、６０）と、シャックルユニット（３０、８０）とを有する。シャックルユニット（３０、８０）は、ロックケーシング（１０、５０）に挿入可能な第１および第２シャックル接続部材（３１、３２、８１、８２）と、第１および第２シャックル接続部材（３１、３２、８１、８２）に接続されたたわみシャックル部分（３７、８４）とを有する。ロックコア（２０、６０）を操作してロック状態にすると、第１シャックル接続部材（３１、８１）は、ロックコア（２０、６０）と嵌め合い、ロックコア（２０、６０）を操作して解除状態にすると、第１シャックル接続部材（３１、８１）は、ロックコア（２０、６０）から解放される。第２シャックル接続部材（３２、８２）は、ばね付き保持部材（３３、８３’）を備える。保持部材（３３、８３’）は、第１シャックル接続部材（３１、８１）を取り外した後手段（１００）を用いて進入可能になる。【選択図】　図３
2004044292.tif 000002
【特許請求の範囲】
【請求項１】
ロックケーシング（１０、５０）と、ロックコア（２０、６０）と、シャックルユニット（３０、８０）とを備え、
上記ロックケーシング（１０、５０）は、ロックコアチャンバ（１１、５１）と、第１方向で上記ロックコアチャンバ（１１、５１）と整列しロックコアチャンバ（１１、５１）への接近を可能にするロックコア開口部（１２、５０２）と、第１シャックルチャンバ（１４、５２１）と、第１方向に平行な第２方向で第１シャックルチャンバ（１４、５２１）と整列し第１シャックルチャンバ（１４、５２１）への接近を可能にする第１シャックル孔（１４２、５２１）と、第２シャックルチャンバ（１５、５３）と、第２方向を横断する第３方向で第２シャックルチャンバ（１５、５３）と整列し第２シャックルチャンバ（１５、５３）への接近を可能にする第２シャックル孔（１５２）と、第１チャネル形成壁（１４３）によって形成され第１および第３方向を横断する第４方向に延びロックコアチャンバ（１１、５１）および第１シャックルチャンバ（１４、５２）と連通する第１チャネル（１４１）と、第２チャネル形成壁（１５３）によって形成され第２方向に延び第１シャックルチャンバ（１４、５２）および第２シャックルチャンバ（１５、５３）と連通する第２チャネル１５１とを有し、
上記ロックコア（２０、６０）は、ラッチ部材（２１、７０）とキー通路（２３）とを有し、キー通路（２３）は、ロックコア開口部（１２、５０２）から露出し、キーを受けることによりラッチ部材（２１、７０）が第１チャネル（１４１）を通して第１シャックルチャンバ（１４、５２）に突出するロック位置とラッチ部材（２１、７０）が第１シャックルチャンバ（１４、５２）から離れる解除位置との間でラッチ部材（２１、７０）を移動させるようにロックコア開口部（１２、５０２）を介してロックコアチャンバ（１１、５１）に収納され、
上記シャックルユニット（３０、８０）は、第１および第２シャックル接続部材（３１、３２、８１、８２）と、これら第１および第２シャックル接続部材（３１、３２、８１、８２）にそれぞれ両端が接続された細長いたわみシャックル部分（３７、８４）とを有し、上記第１シャックル接続部材（３１、８１）は、第１シャックル孔（１４２）を介して第１シャックルチャンバ（１４、５２）に挿入することができ、ラッチ部材（２１、７０）がロック位置へ移動する時ラッチ部材（２１、７０）に係合するロック溝（３１１、８１２）を形成し、上記第２シャックル接続部材（３２、８２）は、保持部材（３３、８３’）を備え、第２シャックル孔（１５２）を介して第２シャックルチャンバ（１５、５３）に挿入することができ、保持部材（３３、８３’）は、第２チャネル（１５１）を通し、第３方向に第２シャックル接続部材（３２、８２）が移動する際に、第２チャネル形成壁（１５３）と係合し、第２シャックル接続部材（３２、８２）をロックケーシング（１０、５０）に保持し、上記第１シャックル接続部材（３１、８１）のロック溝（３１１、８１２）は、ラッチ部材（２１、７０）が解除位置に移動すると、ラッチ部材（２１、７０）から解放されるため、第１シャックル孔（１４２）を介してロックケーシング（１０、５０）から第１シャックル接続部材（３１、８１）を取り外すことができ、第１シャックル孔（１４２）から第１シャックル接続部材（３１、８１）を取り外すとき、第１シャックルチャンバ（１４、５２）および第１シャックル孔（１４２）を介して第２チャネル（１５１）に挿入される手段（１００）によって第２シャックル接続部材（３２、８２）の保持部材（３３、８３’）が接近可能になり、上記手段（１００）によって作動され第２チャネル形成壁（１５３）から解放されるため、第２シャックル孔（１５２）を介してロックケーシング（１０、５０）から第２シャックル接続部材３２を取り外すことができることを特徴とするシャックルロック。
【請求項２】
上記シャックルユニット（３０）の第２シャックル接続部材（３２）に第２チャネル（１５１）と連通するスロット（３２１）が設けられ、上記保持部材（３３）は、スロット（３２１）に滑動可能に取り付けられた保持ブロック（３３２）と、スロット（３２１）に納められるバイアスばね（３３３）とを有し、バイアスばね（３３３）は、保持ブロック（３３２）に作用してスロット（３２１）から第２チャネル（１５１）に挿入させることにより第２シャックル接続部材（３２）が第２シャックル孔（１５２）を介してロックケーシング（１０）から外れるのを防止し、上記保持ブロック（３３２）は、手段（１００）によって第２方向に押し下げ、スロット（３２１）に引込めることができ、第２シャックル孔（１５２）を介してロックケーシング（１０）から第２シャックル接続部材（３２）の取外しが可能になることを特徴とする請求項１に記載のシャックルロック。
【請求項３】
ラッチ部材（２１）が解除位置に位置するとき、ロックコア（２０）が第１方向に移動すると、ラッチ部材（２１）は、第１チャネル形成壁（１４３）と係合し、ロックコア開口部（１２）を介してロックケーシング（１０）からロックコア（２０）が外れるのを防止し、ラッチ部材（２１）は、第１シャックル接続部材（３１）を第１シャックル孔（１４２）から取り外すと、第１シャックルチャンバ（１４）と第１シャックル孔（１４２）を介して第１チャネル（１４１）に挿入される手段（１００）によって接近可能となり、手段（１００）で作動することにより第１チャネル形成壁（１４３）から解放され、ロックコア開口部（１２）を介してロックケーシング（１０）からロックコア（２０）を取り外すことができることを特徴とする請求項１に記載のシャックルロック。
【請求項４】
上記ラッチ部材（２１）が、ロックコア（２０）からロックチャンバ（１１）に第１方向に突出するラッチ基部（２４）を含み、ロックコア（２０）がキーを介して操作される時回転可能になり、ラッチ基部（２４）にはキャビティ（２４０）が形成され、ラッチ部材（２１）は、ラッチ基部（２４）に取り付けられキャビティ（２４０）に挿入されるラッチ本体（２５）と、キャビティ（２４０）内に収納されラッチ部材（２１）がロック位置に位置するとき、ラッチ本体（２５）をキャビティ（２４０）から延びラッチ基部（２４）から第１シャックルチャンバ（３１）に突出するように作用させ、ラッチ本体（２５）は、道具（１００）によりバイアスばね（２６）のバイアス作用に対抗し第４方向に押し下げられキャビティ（２４０）に引込めることができ、ロックケーシング（１０）からのロックコア（２０）の取外しを可能にすることを特徴とする請求項３に記載のシャックルロック。
【請求項５】
上記シャックルユニット（３０）の第１シャックル接続部材（３１）が、スタッド（３１２）を備え、スタッド（３１２）は、第１シャックル接続部材（３１）が第１シャックルチャンバ（１４）に挿入されるとき、第２チャネル（１５１）に延び、第２シャックル接続部材（３２）の保持部材（３３）にはくぼみ（３３１）が設けられ、第１および第２シャックル接続部材（３１、３２）が第１および第２シャックルチャンバ（１４、１５）にそれぞれ挿入されるとき、くぼみ（３３１）がスタッド（３１２）を収納することを特徴とする請求項１に記載のシャックルロック。
【請求項６】
上記ラッチ部材７０が、ロックコアチャンバ（５１）内にあるロックコア（６０）から第１方向に突出するラッチ基部（７２）を含み、ラッチ基部（７２）はキーを用いてロックコア（６０）を操作するとき回転可能であり、ラッチ基部（７２）には、第１方向に延びる保持孔（７２１）が設けられ、ラッチ部材（７０）は、ロック溝（８１２）に延びる係合端（７１０）と、保持孔（７２１）に向って第４方向に係合端（７１０）から突出する連結アーム（７１１）と、連結アーム（７１１）から保持孔（７２１）へ突出する係合突起（７１２）とを有し、ラッチ基部（７２）の回転により、ラッチ本体（７１）が、ロック溝（８１２）を往復する第４方向に移動し、係合端（７１０）とロック溝（８１２）との嵌合および解放が可能になることを特徴とする請求項１に記載のシャックルロック。
【請求項７】
上記ラッチ基部７２が、曲がった止め壁（７２２）を有し、止め壁（７２２）は、保持孔（７２１）の周囲から曲線状に延び、ラッチ本体（７１）は、係合端（７１０）から止め壁（７２２）に向って突出する止めアーム（７１３）を含み、ラッチ部材（７０）がロック位置から解除位置に移動するとき、止めアーム（７１３）が止め壁（７２２）と取外し可能に係合することによりラッチ基部（７２）がそれ以上回転するのを防止すると共にラッチ部材（７０）が解除位置からロック位置に移動するとき、止め壁（７２２）が係合アーム（７１３）から離れることを特徴とする請求項６に記載のシャックルロック。
【請求項８】
上記第１シャックル接続部材（８１）が、２つの向き合う平面（８１１）を有し、ロック溝（８１２）がこれら平面（８１１）の間に延在し、ラッチ本体（７１）は、２つの案内翼（７１４）を備え、２つの案内翼（７１４）は、ラッチ本体（７１）の嵌合い端（７１０）から突出し上記平面（８１１）とそれぞれ滑動接触することを特徴とする請求項７に記載のシャックルロック。
【請求項９】
上記第２シャックル接続部材（８２）にシャックルキャビティ（８２３）と、このシャックルキャビティ（８２３）と連通する第１ねじ孔（８２６）とが設けられ、保持部材（８３’）は、第２ねじ孔（８３０）が設けられた保持本体（８３）を含み、上記シャックルロックは、シャックルキャビティ（８２３）に固定されたナット（８２４）を有し、ボルト（８３４）が、第１および第２ねじ孔（８２６、８３０）を通って延び、上記ナット（８２４）とねじ係合することによって保持部材（８３’）を第２シャックル接続部材（８２）に固定し、第１シャックル接続部材（８１）をロックケーシング（５０）から取り外すとき、ボルト（８３４）は、第１シャックルチャンバ（５２）および第１シャックル孔（５２１）を介して接近可能となり、第２シャックル接続部材（８２）からの保持部材（８３’）の解放と、ロックケーシング（５０）からの第２シャックル接続部材（８２）の取外しが可能になることを特徴とする請求項１に記載のシャックルロック。
【請求項１０】
上記第２シャックル接続部材（８２）に、シャックルキャビティ（８２３）に隣接し第２方向に延びる第１ノッチ（８２１）が設けられ、保持部材（８３）には、第２ノッチ（８３３）が設けられ、第２ノッチ（８３３）は、保持部材（８３’）が第２シャックル接続部材（８２）に固定されるとき、第１ノッチ（８２１）と交差することを特徴とする請求項９に記載のシャックルロック。
【請求項１１】
第２シャックル接続部材（８２）が、２つの第２方向に延びて対向する案内（８２５）を備え、保持本体（８３）は、第２ねじ孔（８３０）の周辺から第２方向に延びる２つの対向する脚（８３１）を有し、脚（８３１）には、前記案内（８２５）と滑動可能に嵌め合う案内溝（８３２）が設けられていることを特徴とする請求項１０に記載のシャックルロック。
【請求項１２】
上記保持部材（８３’）は、第２方向に保持本体（８３）から突出するスタッド（８３５）を含み、第１シャックル接続部材（８１）には、第１および第２シャックル接続部材（８１、８２）が第１および第２シャックルチャンバ（５２、５３）にそれぞれ挿入されるとき、スタッド（８３５）を収納するくぼみ（８１３）が設けられていることを特徴とする請求項１０に記載のシャックルロック。
【請求項１３】
上記ロックケーシング５０は、第４方向に平行な第５方向に延びロックコアチャンバ（５１）および第２シャックルチャンバ（５３）と連通する第３チャネル（５９）を備え、上記シャックルロックは、第３チャネル（５９）に固定されたナット（５４）と、ナット（５４）とねじ結合しナット（５４）を通して延びるねじロッド（５５）とを含み、ロックケーシング（５０）と協働してロックコア（６０）を締め付け、ロックケーシング（５０）からロックコア（６０）が外れるのを防止することを特徴とする請求項６に記載のシャックルロック。
【請求項１４】
上記ロックケーシング（５０）が、ロックコア開口部（５０２）を設けた前壁（５０１）を有し、ロックコア（６０）は、ロックコア開口部（５０２）に隣接する保持スロット（６０１）を設けた前端（６０２）を有し、ロックケーシング（５０）内の前壁（５０１）と向き合って隣接する保護プレート（５６）を備え、このプレートは、保持スロット（６０１）にぴったりと嵌まる挿入部分（５６１）を有し、保護プレート（５６）は、ロックコア（６０）を破壊から保護するため、前壁（５０１）より硬度が高いことを特徴とする請求項１に記載のシャックルロック。
【請求項１５】
上記第１および第２シャックル接続部材（８１、８２）の各々には、挿入孔（８１７、８２７）が設けられ、挿入孔（８１７、８２７）は、孔形成壁（８１８、８２８）により形成されると共に細長いシャックル部分（８４）の両端の各々を収納し、上記シャックルユニット（８０）は、２つの管状部材（８６）を備え、２つの管状部材（８６）は、第１および第２シャックル接続部材（８１、８２）の挿入孔（８１７、８２７）に位置し、細長いシャックル部分（８４）の両端にそれぞれスリーブを形成し、管状部材（８６）の各々は、溝の付いた複数のアーチ形部分（８６１）から構成され、これらは、相互に接続されて、管状部材（８６）に存在する複数の内側および外側アーチ形溝（８６１１）を形成し、管状部材（８６）と、細長いシャックル部分（８４）の各端と、第１および第２シャックル接続部材（８１、８２）の各々の孔形成壁（８１８、８２８）とが圧縮され変形するとき、管状部材（８６）を介して細長いシャックル部分（８４）の各端と、第１および第２シャックル接続部材（８１、８２）の各々の孔形成壁（８１８、８２８）とが係合でき、環状部材（８６）は、金属合金から作製され、第１および第２シャックル接続部材（８１、８２）を破壊から保護するため、第１および第２シャックル接続部材（８１、８２）より硬度が高いことを特徴とする請求項１に記載のシャックルロック。
【請求項１６】
上記シャックルユニット（８０）は、環状部材（８６）間の細長いシャックル部分（８４）にスリーブされる複数の金属スリーブ（８５）を備え、金属スリーブ（８５）の各々は、ほぼ半球形の挿入端（８５１）と、この挿入端（８５１）と向き合い、挿入端（８５１）の形状に対応する形状をしたほぼ半球形の受け孔（８５２）とを有し、上記金属スリーブ（８５）と細長いシャックル部分（８４）とを圧縮し変形させるとき、金属スリーブ（８５）の各々の挿入端（８５１）は、金属スリーブ（８５）の隣接するスリーブの受け孔（８５２）に挿入され、金属スリーブ（８５）の隣接するもの同士、ならびに金属スリーブ（８５）の各々と細長いシャックル部分（８４）とが嵌め合い、細長いシャックル部分（８４）を保護することができることを特徴とする請求項１５に記載のシャックルロック。
【請求項１７】
上記細長いシャックル部分（８４）が、ロープの形態をしていることを特徴とする請求項１６に記載のシャックルロック。
【請求項１８】
上記細長いシャックル部分（８４）が、鎖の形態をしていることを特徴とする請求項１６に記載のシャックルロック。
【請求項１９】
ロックケーシング（１０）のスリーブを形成するスリーブ本体（４６）と、スリーブ本体（４６）の自由端（４２）に蝶番式に取り付けられたカバーフラップ（４３）とを有する弾性ロック保護スリーブ（４０）を備え、スリーブ本体（４６）は、その内部へのロックケーシング（１０）の挿入を可能にする自由端（４２）と、ロックケーシング（１０）の第１および第２シャックル孔（１４２、１５２）と整列しシャックルユニット（３０）の第１および第２シャックル接続部材（３１、３２）の接近を可能にする２つの進入開口部（４５）とを備え、カバーフラップ（４３）は、ロックケーシング（１０）のロックコア開口部（１２）に向って旋回することによりロックケーシング（１０）を覆い、ロックコア開口部（１２）から離れるとき、ロックコア開口部（１２）を介したロックコア（２０）への進入を可能にすることを特徴とする請求項１６に記載のシャックルロック。
【請求項２０】
上記カバーフラップ（４３）は、カバーフラップ（４３）がロックコア開口部（１２）を覆うとき、キー通路（２３）に挿入されるプラグ（４４）を備えることを特徴とする請求項１９に記載のシャックルロック。
【請求項２１】
ロックケーシング（５０）のスリーブを形成する中空スリーブ本体（９０）と、スリーブ本体（９０）内でアクセス開口部（９０２）とスロット（９０３）の周囲に取り付けられ前壁（９０４）と向き合う支持フレーム（９１）と、支持フレーム（９１）内を滑動可能に取り付けられた滑動部材（９２）と、滑動部材（９２）と支持フレーム（９１）とを相互連結する駆動部材（９１５）と、滑動部材（９２）に可動に取り付けられ、中央開口部（９２１１）を通して突出する前端（９２３０）を有する閉塞部材（９２３）と、滑動部材（９２）からスロット（９０３）を通してスリーブ本体（９０）の外部に突出し横断方向に滑動部材（９２）を移動させる操作レバー（９２１５）と、閉塞部材（９２３）を駆動して第１解放位置から第１嵌合位置へと移動させるバイアス部材（９２４）とを有する弾性ロック保護スリーブ（９）を備え、中空スリーブ本体（９０）は、その内部にロックケーシング（５０）を挿入させる自由端（９０１）と、自由端（９０１）とは反対側に位置しキーの通過を可能にするようにロックコア開口部（５０２）と整列される進入開口部（９０２）を設けた前壁（９０４）と、進入開口部（９０２）に隣接するスロット（９０３）とを有し、滑動部材（９２）は、中央開口部（９２１１）が設けられ中央開口部（９２１１）が進入開口部（９０２）およびロックコア開口部（５０２）と整列する第１位置と、中央開口部（９２１１）が進入開口部（９０２）からずれる第２位置との間をロックコア（６０）に対して横断方向に滑動が可能であり、駆動部材（９１５）は、滑動部材（９２）を第１位置から第２位置に移動させるように滑動部材（９２）を作動させ、
閉塞部材（９２３）は、の前端（９２３０）が進入開口部（９０２）に突出して進入開口部（９０２）の周囲と係合することにより滑動部材（９２）の運動を防止すると同時に中央開口部（９２１１）を閉じてロックコア開口部（５０２）への進入を拒絶する第１嵌合位置と、閉塞部材（９２３）の前端（９２３０）が進入開口部（９０２）の周囲から離れ解放されることにより中央開口部（９２１１）と進入開口部（９０２）を介してロックコア開口部（５０２）への進入を可能にする第２位置への横断方向の滑動部材（９２）と閉塞部材（９２３）の共運動を可能にする第１解放位置との間でロックコア（６０）に対して軸方向に移動可能であることを特徴とする請求項１に記載のシャックルロック。
【請求項２２】
上記ロック保護スリーブ（９）が、第１ばね取付けくぼみ（９２２２）を設け滑動部材（９２）に取り付けられたばね取付けプレート（９２２）と、第１ばね取付けくぼみ（９２２２）を中心に位置する浅い１対の保持溝（９２２５）と、第１ばね取付けくぼみ（９２２２）を中心に位置し浅い保持溝（９２２５）を通る直線と直交する１対のドッキングスロット（９２２１）と、第１ばね取付けくぼみ（９２２２）に隣接して位置するストッパー（９２２３）とを含み、
上記閉塞部材（９２３）が、前端（９２３０）を画定し滑動部材（９２）内の中央開口部（９２１１）を通過移動が可能な円柱部分（９２３１）と、円柱部分（９２３１）に設けられ第１ばね取付けくぼみ（９２２２）と整列する第２ばね取付けくぼみ（９２３５）と、ばね取付けプレート（９２２）に向って円柱部分（９２３１）から突出する１対の制限突起（９２３２）と、制限突起（９２３２）からそれぞれ突出してばね取付けプレート（９２２）内の浅い保持くぼみ（９２２５）と取外し可能に係合する１対の円形保持突起（９２３３）と、スリーブ本体（９０）内の進入開口部（９０２）に向って制限突起（９２３２）とは反対方向に円柱部分（９２３１）から突出するコード化突起（９２３４）とを有し、上記バイアス部材（９２４）が、コイルばねの形態をなし、第１および第２ばね取付けくぼみ（９２２１、９２３５）の間に配置され、両者を通過して円柱部分（９２３１）およびばね取付けプレート（９２２）にと右折し当接し、
上記閉塞部材（９２３）は、保持突起（９２３３）が、それぞれ浅い保持溝（９２２５）と係合することにより、閉塞部材（９２３）の軸方向運動を停止させる第２嵌合位置と、キーを用いてコード化突起（９２３４）が押されたとき、保持突起（９２３３）が浅い保持溝（９２２５）から離れ、制限突起（９２３２）がドッキングスロット（９２２１）と整列し、第１嵌合位置から第１解放位置への閉塞部材（９２３）の軸方向運動を可能にする第２解放位置との間でばね取付けプレート（９２２）に対して回転可能であり、
上記ストッパー（９２２３）が、制限突起（９２３２）と係合することにより第２嵌合位置と第２解放位置との間での閉塞部材（９２３）の回転を制限することを特徴とする請求項２１に記載のシャックルロック。
【発明の詳細な説明】
【０００１】
【発明の属する技術分野】
本発明は、たわみシャックルロックに係り、さらに具体的には、シャックルユニットおよびロックコアがロックケーシングから取り外すことで、シャックルユニットおよびロックコアの取替えができるたわみシャックルロックに関する。
【０００２】
【従来の技術】
たわみシャックルロックは、一般に、ロックしようとする物品を通して延びる細長いたわみシャックル部材を含んでなる。たわみシャックルロックは、複雑な構成の物品を、あるいは、一連の物品をロックするのに用いられている。
【０００３】
図１および２は、このタイプの従来のシャックルロックを示す。このシャックルロックは、ロック本体１を有し、本体１は、第１および第２シャックル孔１０１、１０２をそれぞれ設けた両端を有し内部にコンビネーションロックユニット３を備えている。細長いたわみシャックル部材７は、第１および第２シャックル接続部材７０１、７０２をそれぞれ接続された両端を有する。これら接続部材は硬質である。第１シャックル接続部材７０１は、第１シャックル孔１０１で、ロック本体１に固定されている。第２シャックル接続部材７０２は、第２シャックル孔１０２への進入が可能であり、環状溝７０３を備えている。第２シャックル接続部材７０２は、コンビネーションロックユニット３がロック状態にあるとき、コンビネーションロックユニット３のラッチ部材６と係合する。ロックユニット３を操作して解除状態にするとき、ラッチ部材６は、環状溝７０３から解放されるため、ロック本体１から第２シャックル接続部材７０２を取り外すことができる。
【０００４】
第１シャックル接続部材７０１はロック本体１に固定され、シャックル部材７の長さが一定であることから、シャックルロックは、限られた範囲でしか有用ではない。シャックル部材７を、長さの異なるものと取替え可能であるのがユーザには望ましい。さらに、ロックユニット３の取替えは、複雑で、面倒である。
【０００５】
【発明が解決しようとする課題】
従って、本発明の主な目的は、ロックケーシングから取外し可能なシャックルユニットとロックコアを備え、シャックルユニットおよびロックコアの取替えが可能なシャックルロックを提供することにある。
【０００６】
【課題を解決するための手段】
本発明のシャックルロックは、ロックケーシングと、ロックコアチャンバ内に収納されるロックコアと、シャックルユニットとを備え、ロックケーシングは、ロックコアチャンバと、ロックコアチャンバへの進入が可能で第１方向でロックコアチャンバと直線上に並ぶロックコア開口部と、第１シャックルチャンバと、第１シャックルチャンバへの進入が可能で第１方向に平行な第２方向で第１シャックルチャンバと直線上に並ぶ第１シャックル孔と、第２シャックルチャンバと、第２シャックルチャンバへの進入が可能で第２方向を横断する第３方向で第２シャックルチャンバと直線上に並ぶ第２シャックル孔と、第１チャネル形成壁によって形成され第１および第３方向を横断する第４方向に延びロックコアチャンバおよび第１シャックルチャンバと連通する第１チャネルと、第２チャネル形成壁によって形成され第２方向に延び第１シャックルチャンバおよび第２シャックルチャンバと連通する第２チャネルとを有し、ロックコアは、ラッチ部材と、キー通路とを有し、キー通路はロックコア開口部から露出し、キーを受けることによりラッチ部材が第１チャネルを通過して第１シャックルチャンバに突出するロック位置とラッチ部材が第１シャックルチャンバから離れる解除位置との間でラッチ部材を移動させるように設計されロックコア開口部を介してロックコアチャンバ内に収納され、シャックルユニットは、第１および第２シャックル接続部材と、これら第１および第２シャックル接続部材にそれぞれ接続した両端を有する細長いたわみシャックル部分とを有し、第１シャックル接続部材は、第１シャックル孔を介して第１シャックルチャンバに挿入することができ、ロック溝が設けられているため、ラッチ部材がロック位置へと移動するとき、ラッチ部材と嵌め合うことができ、第２シャックル接続部材は、第２シャックル孔を介して第２シャックルチャンバに挿入することができると共に保持部材を備え、保持部材は、第２チャネル中に延び第３方向に第２シャックル接続部材が移動するとき、第２シャネル形成壁と嵌め合うことにより第２シャックル接続部材をロックケーシング中に保持することができ、第１シャックル接続部材中のロック溝はラッチ部材が解除位置に移動するとき、ラッチ部材から解放されるため、第１シャックル孔を介してロックケーシングから第１シャックル接続部材を取り外すことができ、第１シャックル孔から第１シャックル接続部材を取り外すとき、第１シャックルチャンバおよび第２シャックル孔を介して第２チャネルに挿入される手段によって第２シャックル接続部材の保持部材に進入が可能になり、保持部材は、上記手段によって作動され第２チャネル形成壁から解放されるように設計され、これによって、第２シャックル孔を介してロックケーシングから第２シャックル接続部材を取り外すことができる。
【０００７】
【発明の実施の形態】
以下、本発明のシャックルロックの好ましい実施の形態を図面を参照して説明する。
本発明のシャックルロックは、図３ないし図６に示すように、シームレス・ロックケーシング１０と、ロックコア２０と、シャックルユニット３０とを備えている。
【０００８】
シームレス・ロックケーシング１０は、ロックコアチャンバ１１と、ロックコアチャンバ１１への進入を可能にし第１方向でロックコアチャンバ１１と直線上に並ぶロックコア開口部１２と、第１シャックルチャンバ１４と、第１シャックルチャンバ１４への進入を可能にし第１方向に平行な第２方向で第１シャックルチャンバ１４と直線上に並ぶ第１シャックル孔１４２と、第２シャックルチャンバ１５と、第２シャックルチャンバ１５への進入を可能にし第２方向を横断する第３方向で第２シャックルチャンバ１５と直線上に並ぶ第２シャックル孔１５２と、第１チャネル形成壁１４３によって形成され第１および第３方向を横断する第４方向に延びロックコアチャンバ１１および第１シャックルチャンバ１４と連通する第１チャネル１４１と、第２チャネル形成壁１５３によって形成され第２方向に延び第１シャックルチャンバ１４および第２シャックルチャンバ１５と連通する第２チャネル１５１とを有する。
【０００９】
ロックコア２０は、ラッチ部材２１とキー通路２３とを有し、キー通路２３はロックコア開口部１２から露出しキー（図示していない）を受けることによりラッチ部材２１が第１チャネル１４１を通過して第１シャックルチャンバ１４に突出するロック位置（図５および７参照）と、ラッチ部材２１が第１シャックルチャンバ１４から離れる解除位置（図８参照）との間でラッチ部材２１を移動させるように設計され、ロックコア開口部１２を介してロックコアチャンバ１１内に収納される。
【００１０】
シャックルユニット３０は、第１および第２シャックル接続部材３１、３２と、これら第１および第２シャックル接続部材３１、３２にそれぞれ両端が接続された細長いたわみシャックル部分３７とを有する。第１シャックル接続部材３１は、第１シャックル孔１４２を介して第１シャックルチャンバ１４に挿入することができ、ラッチ部材２１がロック位置へと移動するとき、ラッチ部材と係合するロック溝３１１が設けられている。第２シャックル接続部材３２は、第２シャックル孔１５２を介して第２シャックルチャンバ１５に挿入することができると共に保持部材３３を備え、保持部材３３は、第２チャネル１５１を通過し第３方向に第２シャックル接続部材３２が移動するとき、第２チャネル形成壁１５３と嵌め合うことにより第２シャックル接続部材３２をロックケーシング１０に保持することができる。第１シャックル接続部材３１のロック溝３１１は、ラッチ部材２１が解除位置に移動するとき、ラッチ部材２１から解放されるため、第１シャックル孔１４２を介してロックケーシング１０から第１シャックル接続部材３１を取り外すことができる（図９参照）。第１シャックル孔１４２から第１シャックル接続部材３１を取り外すとき、第１シャックルチャンバ１４および第１シャックル孔１４２を介して第２チャネル１５１に挿入される手段１００（図１０参照）によって第２シャックル接続部材３２の保持部材３３が進入可能になり、上記手段１００によって作動され、第２チャネル形成壁１５３から解放されるため、第２シャックル孔１５２を介してロックケーシング１０から第２シャックル接続部材３２を取り外すことができる。ロックケーシング１０は、開口ボックス１６と、上部カバー１７を有し、カバー１７は、開口ボックス１６を覆いロックケーシング１０がシームレスとなるように開口ボックス１６の上部自由端に溶接されている。
【００１１】
シャックルユニット３０の第２シャックル接続部材３２には、第２チャネル１５１と連通するスロット３２１が設けられている。保持部材３３は、スロット３２１に滑動可能に取り付けられた保持ブロック３３２と、スロット３２１に納められるバイアスばね３３３とを有する。バイアスばね３３３は、保持ブロック３３２に作用してスロット３２１から第２チャネル１５１中に挿入させることにより第２シャックル接続部材３２が、第２シャックル孔１５２を介してロックケーシング１０から外れないようにする。保持ブロック３３２は、手段１００によって第２方向に押し下げられてスロット３２１に引込めることができ、これにより、第２シャックル孔１５２を介してロックケーシング１０から第２シャックル接続部材３２を取り外すことができる。
【００１２】
ラッチ部材２１が解除位置に位置するとき、ロックコア２０が第１方向に移動すると、ラッチ部材２１は、第１チャネル形成壁１４３と嵌め合い、ロックコア開口部１２を介してロックケーシング１０からロックコア２０が外れないようにする。ラッチ部材２１は、第１シャックル接続部材３１を第１シャックル孔１４２から取り外すとき、第１シャックルチャンバ１４と第１シャックル孔１４２を介して第１チャネル１４１に挿入される手段１００によって進入可能となるため、手段１００で作動することにより第１チャネル形成壁１４３から解放され、ロックコア開口部１２を介してロックケーシング１０からロックコア２０を取り外すことができる。
【００１３】
ラッチ部材２１は、ロックコア２０からロックチャンバ１１中に第１方向に突出するラッチ基部２４を有する。ラッチ基部２４は、ロックコア２０がキー（図示していない）を介して操作されるとき、ロックコア２０のハウジングに対して回転することができる。ラッチ基部２４にはキャビティ２４０が形成されている。ラッチ部材２１は、さらに、ラッチ基部２４上に取り付けられキャビティ２４０に延びるラッチ本体２５と、キャビティ２４０内に収納されるバイアスばね２６とを有する。バイアスばね２６は、ラッチ部材２１がロック位置に位置するとき、ラッチ本体２５に作用し、ラッチ本体２５をキャビティ２４０から突出させ、ラッチ基部から第１チャネル１４１を通過して第１シャックルチャンバ１４に進入させる。ラッチ本体２５は、手段１００により、バイアスばね２６のバイアス作用に対抗して第４方向に押し下げることで、キャビティ２４０に引込めることができ、ロックケーシング１０からロックコア２０の取外しが可能になる。
【００１４】
シャックルユニット３０の第１シャックル接続部材３１は、スタッド３１２を備え、スタッド３１２は、第１シャックル接続部材３１が第１シャックルチャンバ１４に挿入されるとき、第２チャネル１５１を通過する。保持部材３３の保持ブロック３３２にはくぼみ３３１が設けられており、第１および第２シャックル接続部材３１、３２が、第１および第２シャックルチャンバ１４、１５にそれぞれ挿入されるとき、くぼみ３３１がスタッド３１２を収納し、これによって、ロックケーシング１０内の第１および第２シャックルチャンバ１４、１５の位置決めを助ける。
【００１５】
弾性ロック保護スリーブ４０は、ロックケーシング１０のスリーブを形成するスリーブ本体４６からなる。スリーブ本体４６は、その内部へのロックケーシング１０の挿入を可能にする自由端４２と、ロックケーシング１０の第１および第２シャックル孔１４２、１５２とそれぞれ直線上に並びシャックルユニット３０の第１および第２シャックル接続部材３１、３２の進入を可能にする２つの進入開口部４５とを備える。スリーブ本体４６の自由端４２には、カバーフラップ４３が蝶番式に取り付けられている。カバーフラップ４３は、ロックケーシング１０のロックコア開口部１２に向って旋回することによりロックケーシング１０を覆い、ロックコア開口部１２から離れるとき、ロックコア開口部１２を介したロックコア２０への進入を可能にする。カバーフラップ４３は、カバーフラップ４３がロックコア開口部１２を覆うとき、キー通路２３に挿入されるプラグ４４を備えている。
【００１６】
図３、図５および図７からわかるように、作動時において、第２シャックル接続部材３２が、ロックケーシング１０と係合するように第２シャックル孔１５２に挿入される。物品（図示していない）を通してロックされた後、第１シャックル接続部材３１は、第１シャックル孔１４２に挿入され、これによって、ロックコア２０のラッチ本体２５がロック溝３１１中に延び、第１シャックル接続部材３１と係合することができる。
【００１７】
図８および図９からわかるように、シャックルロックを解除するためには、対応するキー（図示していない）をキー通路２３に挿入し、ラッチ本体２５をラッチ基部２４と一緒に回し、ラッチ本体２５をロックコアチャンバ１１中に移動させることによってロック溝３１１から解放する。従って、このとき、第１シャックル孔１４２を介して第１シャックル接続部材３１をロックケーシング１０から取り外すことができる。
【００１８】
図９および図１０からわかるように、シャックル部分３７の長さが物品を通して物品をロックするのに十分ではない場合には、シャックルロック全体を取り替える必要なしにシャックルユニット３０をこれより長いものと取り替えることができる。
【００１９】
シャックルユニット３０の取替え作業は次のように行う。ロックコア２０を操作することによりラッチ部材２４を解除位置まで回転させ、第１シャックル接続部材３１を第１シャックル孔１４２から取り外す。手段１００を第１シャックル孔１４２に挿入し、保持ブロック３３２を押し下げることにより、保持ブロック３３２を第２シャックル接続部材３２のスロット３２１に引込める。このように、保持ブロック３３２は、ロックケーシング１０から解放されるため、第２シャックル孔１５２から第２シャックル接続部材３２の取外しが可能になり、これによって、ロックケーシング１０からシャックルユニット３０全体を分離することができる。その後、これより長いシャックル部分を有する別のシャックルユニットの第２シャックル接続部材３２を第２シャックル孔１５２に挿入し、ロックケーシング１０と係合させる。こうして、取替え作業は完了する。
【００２０】
図９および図１１からわかるように、腐蝕などによりロックコア２０が破損もしくは故障した場合には、ロックコア２０の取替えを次のようにして実施することができる。
【００２１】
ロックコア２０を操作してラッチ部材２４を解除位置に移動させ、第１シャックル接続部材３１を第１シャックル孔１４２から取り外す。手段１００を第１シャックル孔１４２に挿入し、ラッチ本体２５を押し下げることにより、ラッチ部材２１のラッチ基部２４内のキャビティ２４０中にラッチ本体２５を引込める。このようにして、ラッチ部材２１をロックケーシング１０から解放することにより、ロックコア開口部１２を介してロックケーシング１０からロックコア２０の取外しが可能になる。ロックコア２０の取外しの後、ロックコア開口部１２を介して、新しいロックコアをロックコアチャンバに挿入すると、新しいロックコア上のラッチ部材が第１チャネル１４１を通過してロックケーシング１０と嵌め合い取替え作業が完了する。
【００２２】
このように、ロックしようとする物品の大きさおよび形状に応じて様々な長さのシャックルユニット３０を用いて選択的にロックケーシング１０を組立て可能であることがわかる。取替え作業はユーザが容易かつ迅速に実施することができる。さらに、ロックコア２０が破損した場合には、シャックルロック全体を取り替えることなく、ロックコア２０を取り替えることができる。
【００２３】
図１２ないし図１４は、本発明に従うシャックルロックの第２の好ましい態様を示す。前記の態様とは違い、第２の好ましい態様は、駆動部材（２６、３３３）を使用することなく操作されるラッチ部材７０および保持部材８３を有する。ここで、第２態様の要素には、前記態様のものにそれぞれ対応する参照番号を用いたことに留意されたい。
【００２４】
シャックルロックの第２の態様についての詳細は、次の通りである。
ラッチ部材７０は、ロックコアチャンバ５１内にあるロックコア６０から第１方向に突出するラッチ基部７２を含み、キー（図示していない）を用いてロックコア６０を操作するとき回転可能であり、ラッチ基部７２には、第１方向に延びる保持孔７２１が設けられている。
【００２５】
ラッチ部材７０はさらに、第１シャックル接続部材８１のロック溝８１２を通過する嵌合い端７１０と、保持孔７２１に向って第４方向に嵌合い端７１０から突出する連結アーム７１１と、連結アーム７１１から保持孔７２１へと突出する嵌合い突起７１２とを有し、これによって、ラッチ基部７２の回転により、ラッチ本体７１が、ロック溝８１２を往復する第４方向に移動し（図１５および図１６を参照）、その結果、嵌め合い端７１０とロック溝８１２との嵌合いおよび解放が可能になる。
【００２６】
ラッチ基部７２は、曲面の止め壁７２２を有しており、この壁は、保持孔７２１の周囲から曲線状に延びている。ラッチ本体７１はさらに、嵌合い端７１０から止め壁７２２に向って突出する止めアーム７１３を含み、これによって、ラッチ部材７０がロック位置（図１５参照）から、解除位置（図１６参照）に移動するとき、止めアーム７１３が止め壁７２２と取外し可能に嵌め合うことにより、ラッチ基部７２がそれ以上回転するのを防止すると共に、ラッチ部材７０が解除位置からロック位置に移動するとき、止め壁７２２が嵌合いアーム７１３から離れるようにする。
【００２７】
第１シャックル接続部材８１は、２つの向き合う平面８１１を有する。ロック溝８１２は、これら平面８１１の間に延在する。ラッチ本体７１はさらに、２つの向き合う案内翼７１４を備え、案内翼７１４は、ラッチ本体７１の嵌合い端７１０から突出し、上記平面８１１とそれぞれ滑動可能に接触することにより、ラッチ本体７１の第４方向への移動を案内する。ロックケーシング５０内の第１シャックル孔５２１は、上記平面８１１に適合する２つの向き合う弦状の部分を有し、これらは、第１シャックルチャンバ５２中に第１シャックル接続部材８１を向け、挿させる上での方向マーカーとして役立つ。
【００２８】
第２シャックル接続部材８２には、シャックルキャビティ８２３と、このシャックルキャビティ８２３に連通する第１ねじ孔８２６とが設けられている。保持部材８３’は、第２ねじ孔８３０が設けられた保持本体８３を含む。ナット８２４が、シャックルキャビティ８２３中に固定されている。ボルト８３４が、第１および第２ねじ孔８２６、８３０を通って延び、上記ナット８２４とねじ結合することによって保持部材８３’を第２シャックル接続部材８２に固定する。第１シャックル接続部材８１をロックケーシング５０から取り外すとき、ボルト８３４は、第１シャックルチャンバ５２および第１シャックル孔５２１を介して進入が可能となり、これによって、第２シャックル接続部材８２からの保持部材８３’の解放と、ロックケーシング５０からの第２シャックル接続部材８２の取外しが可能になる（図１７参照）。
【００２９】
第２シャックル接続部材８２にはさらに、シャックルキャビティ８２３に隣接し第２方向に延びる第１ノッチ８２１が設けられている。また、保持部材８３には、第２ノッチ８３３が設けられ、これは、保持部材８３’が第２シャックル接続部材８２に固定されるとき第１ノッチ８２１と交差する。
【００３０】
第２シャックル接続部材８２はさらに、第２方向に延びる２つの案内８２５を備える。保持本体８３は、第２ねじ孔８３０の周辺から第２方向に延びる２つの脚８３１を有する。脚８３１には案内溝８３２が設けられ、これは、前記案内８２５と滑動可能に嵌め合うことにより、第２方向の保持部材８３’の運動を案内する。
【００３１】
保持部材８３’はさらに、第２方向に保持本体８３から突出するスタッド８３５を含む。第１シャックル接続部材８１には、くぼみ８１３が設けられ、これは、第１および第２シャックル接続部材８１、８２が第１および第２シャックルチャンバ５２、５３にそれぞれ挿入されるとき、スタッド８３５を収納するものであり、これによって、ロックケーシング５０内の第１および第２シャックルチャンバ５２、５３の位置決めを助ける。
【００３２】
ロックケーシング５０はさらに、第３チャネル５９を備え、これは、第４方向に平行な第５方向に延び、かつロックコアチャンバ５１および第２シャックルチャンバ５３と連通している。ナット５４が第３チャネル５９中に固定されている。ねじロッド５５が、ナット５４とねじ結合し、それを通過して延びることにより、ロックケーシング５０と協働してロックコア６０を締め付けるため、ロックケーシング５０からロックコア６０が外れるのを防止する。
【００３３】
ロックケーシング５０は、ロックコア開口部５０２を設けた前壁５０１を有する。ロックコア６０は、ロックコア開口部５０２に隣接する保持スロット６０１を設けた前端６０２を有する。保護プレート５６が、ロックケーシング５０内の前壁５０１と向き合って隣接しており、このプレートは、保持スロット６０１にぴったりと嵌まる挿入部分５６１を有する。保護プレート５６は、前壁５０１より硬度が高いことから、ロックコア６０を破壊から保護することができる。２個構成保護プレート５７が、ロックケーシング５０の裏壁および側壁と向き合って隣接しており、これは、保護プレート５６と同じ材料から作製されているため、ロックコア６０の破壊からの保護を強化することができる。
【００３４】
図１３と図１８からわかるように、第１および第２シャックル接続部材８１、８２の各々には、挿入孔８１７（８２７）が設けられている。挿入孔８１７（８２７）は、孔形成壁８１８（８２８）により形成されると共に細長いシャックル部分８４の両端の各々を収納する。シャックルユニット８０はさらに、２つの管状部材８６（１つだけを示す）を備え、これらは、第１および第２シャックル接続部材８１、８２の挿入孔８１７、８２７内に位置し、細長いシャックル部分８４の両端にそれぞれスリーブを形成している。
【００３５】
管状部材８６の各々は、溝の付いた複数のアーチ形部分８６１から構成され、これらは、凹凸状に相互に接続されて、管状部材８６に存在する複数の内側および外側アーチ形溝８６１１、８６１４を形成し、これによって、管状部材８６と、細長いシャックル部分８４の各端と、第１および第２シャックル接続部材８１、８２の各々の孔形成壁８１８（８２８）とが圧縮され、変形するとき、管状部材８６を介して細長いシャックル部分８４の各端と第１および第２シャックル接続部材８１、８２の各々の孔形成壁８１８（８２８）とが係合される。この圧縮中、シャックル部分８４の部分と孔形成壁８１８（８２８）の部分がそれぞれ変形することにより、内側および外側アーチ形溝８６１１、８６１４へと進入するため、管状部材８６を介してシャックル部分８４の両端を、第１および第２シャックル接続部材８１、８２に固定することができる。３つの間隔をあけたウェッジプレート８６１２が、管状部材８６の各々の一端から突出している。環状部材８６は、金属合金から作製され、第１および第２シャックル接続部材８１、８２より硬度が高いため、第１および第２シャックル接続部材８１、８２を破壊から保護することができる。
【００３６】
シャックルユニット８０はさらに、複数の金属スリーブ８５を備え、これらは、環状部材８６間の細長いシャックル部分８４にスリーブを形成する。金属スリーブ８５の各々は、ほぼ半球形の挿入端８５１と、この挿入端８５１と向き合い、かつ、挿入端８５１の形状に対応する形状をしたほぼ半球形の受け孔８５２とを有する。金属スリーブ８５と細長いシャックル部分８４とを圧縮し変形させるとき、金属スリーブ８５の各々の挿入端８５１は、当該金属スリーブ８５の隣接するスリーブの受け孔８５２に挿入され、金属スリーブ８５の隣接するもの同士ならびに金属スリーブ８５の各々と細長いシャックル部分８４とが嵌め合い、これによって、細長いシャックル部分８４を破壊から保護することができる。
【００３７】
金属スリーブ８５の最も外側にある２つの各々には、間隔をあけた３つのノッチ８５３が設けられ、これらは、環状部材８６の各々のウェッジプレート８６１２とそれぞれ嵌め合う。細長いシャックル部分８４は、ロープ状（図１３参照）、または、たわみ保護スリーブ８８を備えた鎖８７（図１９および２０を参照）状のいずれの形態をしていてもよい。鎖８７は、ピン８７２で接続された複数のリンク８７１から構成される。
【００３８】
図１２および図１３と併せて図２１および図２２からわかるように、弾性ロック保護スリーブ９は、ロックケーシング５０のスリーブを形成する中空スリーブ本体９０と、スリーブ本体９０内に取り付けられる支持フレーム９１と、滑動が可能な滑動部材９２と、滑動部材９２と支持フレーム９１とを連結して滑動部材９２を第１位置から第２位置に移動させる駆動部材９１５と、滑動部材９２に可動に取り付けられた閉塞部材９２３と、滑動部材９２からスロット９０３を通過してスリーブ本体９０の外部に突出し横断方向に滑動部材９２を移動させる操作レバー９２１５と、閉塞部材９２３を駆動して第１解放位置から第１嵌合位置へと移動させるバイアス部材９２４とを有する。
【００３９】
中空スリーブ本体９０は、その内部にロックケーシング５０を挿入させる自由端９０１と、自由端とは反対側に位置しキーの通過を可能にするようにロックコア開口部５０２と直線上に並ぶ進入開口部９０２を設けた前壁９０４と、進入開口部９０２に隣接するスロット９０３とを有する。支持フレーム９１は、前壁９０４と向き合う案内溝９１２を有し、スリーブ本体９０内で進入開口部９０２とスロット９０３の周囲に取り付けられる。
【００４０】
滑動部材９２は、中央開口部９２１１を有し、中央開口部９２１１が進入開口部９０２およびロックコア開口部５０２と直線上に並ぶ第１位置と中央開口部９２１１が進入開口部９０２からずれる第２位置との間をロックコア６０に対して横断方向に案内溝９１２に沿って滑動できる。
【００４１】
閉塞部材９２３は、前端９２３０が進入開口部９０２に突出し進入開口部９０２の周囲と嵌め合うことにより滑動部材９２の運動を防止すると同時に中央開口部９２１１を閉じてロックコア開口部５０２への進入を拒絶する第１嵌合位置と、前端９２３０が進入開口部９０２の周囲から離れこれから解放されることにより、中央開口部９２１１と進入開口部９０２を介してロックコア開口部５０２への進入を可能にする第２位置への横断方向の滑動部材９２と閉塞部材９２３の共運動を可能にする第１解放位置との間でロックコア６０に対して軸方向に移動可能であり、滑動部材９２上に可動に取り付けられる。
【００４２】
ロック保護スリーブ９は、さらに滑動部材９２に取り付けられ第１ばね取付けくぼみ９２２２を設けたばね取付けプレート９２２と、第１ばね取付けくぼみ９２２２を中心に正反対に位置する浅い１対の保持溝９２２５と、第１ばね取付けくぼみ９２２２を中心に正反対に位置し浅い保持溝９２２５を通過する直線と直交する１対のドッキングスロット９２２１と、第１ばね取付けくぼみ９２２２に隣接して位置するストッパー９２２３とを有する。
【００４３】
閉塞部材９２３は、さらに前端９２３０を画定し滑動部材９２内の中央開口部９２１１を通過移動が可能な円柱部分９２３１と、円柱部分９２３１に設けられ第１ばね取付けくぼみ９２２２と直線上に並ぶ第２ばね取付けくぼみ９２３５と、ばね取付けプレート９２２に向って円柱部分９２３１から突出し正反対に位置する１対の制限突起９２３２と、制限突起９２３２からそれぞれ突出してばね取付けプレート９２２内の浅い保持くぼみと取外し可能に嵌め合う１対の円形保持突起９２３３と、スリーブ本体９０内の進入開口部９０２に向って制限突起９２３２とは反対方向に、円柱部分９２３１から突出するコード化された（ｃｏｄｅｄ）突起９２３４とを有する。
【００４４】
バイアス部材９２４は、コイルばねの形態をしており、第１および第２ばね取付けくぼみ９２２１、９２３５の間に配置され、両者を通過して、円柱部分９２３１およびばね取付けプレート９２２に当接し、これによって、閉塞部材９２３を駆動して進入開口部９０２に向けて移動させる。
【００４５】
閉塞部材９２３は、保持突起９２３３がそれぞれ浅い保持溝９２２５と嵌め合うことにより閉塞部材９２３の軸方向運動を停止させる第２嵌合位置と、キーを用いてコード化突起９２３４が押されたとき保持突起９２３３が浅い保持溝９２２５から離れ制限突起９２３２がドッキングスロット９２２１と直線上に並び第１嵌合位置から第１解放位置へのバイアス部材９２４の駆動作用に対して閉塞部材９２３の軸方向運動を可能にする第２解放位置との間でばね取付けプレート９２２に対して回転可能である。ストッパー９２２３は、制限突起９２３２と嵌め合うことにより第２嵌合位置と第２解放位置との間で回転する閉塞部材９２３を制限することができる。
【００４６】
図２７は、図２１に示す前記態様と類似した別のロック保護スリーブ９’を示す。ただし、ここでは、閉塞部材９２３’が図２１に示した制限突起９２３２とコード付き突起９２３４を含まない環状リングの形態をしている。
【００４７】
以上してきた本発明についての説明から、本発明の精神から逸脱することなく、様々な変更および改変を実施できることは明らかである。従って、本発明は、添付の請求の記載によってのみ制限されるものとする。
【図面の簡単な説明】
【図１】従来の細長いたわみシャックル部材を備えたシャックルロックの部分分解斜視図である。
【図２】図１の従来のシャックルロックの部分断面図である。
【図３】本発明のシャックルロックの好ましい態様のロックケーシングを保護するロック保護スリーブが省かれている部分的に切断した分解斜視図である。
【図４】本発明のシャックルロックの好ましい態様の平面図である。
【図５】本発明のシャックルロックの好ましい態様のロック状態にある部分断面図である。
【図６】ロック保護スリーブの斜視図である。
【図７】本発明のシャックルロックの好ましい態様のロックコアを備えロック保護スリーブとシャックル保護スリーブが省かれているロック状態で示した部分断面図である。
【図８】図７と同様の好ましい態様の解除状態にあるロックコアを示す部分断面図である。
【図９】本発明のシャックルロックの好ましい態様のシャックルロックのロックケーシングから第１シャックル接続部材が取り外されている部分断面図である。
【図１０】本発明のシャックルロックの好ましい態様のシャックルロックのロックケーシングから第２シャックル接続部材を取り外すかを示す部分断面図である。
【図１１】本発明のシャックルロックの好ましい態様のシャックルロックのロックケーシングからロックコアを取り外すかを示す部分断面図である。
【図１２】本発明に従うシャックルロックの第２の好ましい態様の部分的に切断した分解斜視図である。
【図１３】本発明に従うシャックルロックの第２の好ましい態様のロック状態にある部分断面図である。
【図１４】本発明に従うシャックルロックの第２の好ましい態様のロックコアのラッチ部材の分解斜視図である。
【図１５】本発明に従うシャックルロックの第２の好ましい態様のロック状態で示したロックコアを備えた部分断面図である。
【図１６】図１５と同様の好ましい第２態様の解除状態にあるロックコアを示す部分断面図である。
【図１７】本発明に従うシャックルロックの第２の好ましい態様のロックケーシングから第１および第２シャックル接続部材およびロックコアを取り外すかを示す部分断面図である。
【図１８】本発明に従うシャックルロックの第２の好ましい態様のシャックルユニットの第１および第２シャックル接続部材を接続するためのロープ部材が省かれている部分分解斜視図である。
【図１９】図１８と同様であるが、ロープ部材に代わり鎖部材を備えるシャックルユニットの部分分解斜視図である。
【図２０】図１９のシャックルユニットの部分断面図である。
【図２１】図６に示した前記保護スリーブを改変したロック保護スリーブの部分的に分解した斜視図である。
【図２２】底面からみた、図２１のロック保護スリーブの部分分解斜視図である。
【図２３】図２１のロック保護スリーブの閉塞部材がスリーブ本体と嵌め合うことによりロックコアへの進入を拒絶する様子を示す断面図である。
【図２４】図２１のロック保護スリーブのブロック部材がスリーブ本体と嵌め合うことによりロックコアへの進入を拒絶する様子を示す断面図である。
【図２５】図２３と類似した図２１のロック保護スリーブのブロック部材がスリーブ本体から解放されてロックコアへの進入を可能にする断面図である。
【図２６】図２４と類似した図２１のロック保護スリーブのブロック部材がスリーブ本体から解放されてロックコアへの進入を可能にする断面図である。
【図２７】図２１に示した前記保護スリーブを改変したロック保護スリーブの分解斜視図である。
【符号の説明】
１０　ロックケーシング
１１　ロックコアチャンバ
１２　ロックコア開口部
１４　第１シャックルチャンバ
１５　第２シャックルチャンバ
２０　ロックコア
２１　ラッチ部材
２３　キー通路
３０　シャックルユニット
３１　第１シャックル接続部材
３２　第２シャックル接続部材
３３　ばね付き保持部材
１００　手段
１４１　第１チャネル
１５１　第２チャネル
【図１】
2004044292.tif 000003
【図２】
2004044292.tif 000004
【図３】
2004044292.tif 000005
【図４】
2004044292.tif 000006
【図５】
2004044292.tif 000007
【図６】
2004044292.tif 000008
【図７】
2004044292.tif 000009
【図８】
2004044292.tif 000010
【図９】
2004044292.tif 000011
【図１０】
2004044292.tif 000012
【図１１】
2004044292.tif 000013
【図１２】
2004044292.tif 000014
【図１３】
2004044292.tif 000015
【図１４】
2004044292.tif 000016
【図１５】
2004044292.tif 000017
【図１６】
2004044292.tif 000018
【図１７】
2004044292.tif 000019
【図１８】
2004044292.tif 000020
【図１９】
2004044292.tif 000021
【図２０】
2004044292.tif 000022
【図２１】
2004044292.tif 000023
【図２２】
2004044292.tif 000024
【図２３】
2004044292.tif 000025
【図２４】
2004044292.tif 000026
【図２５】
2004044292.tif 000027
【図２６】
2004044292.tif 000028
【図２７】
2004044292.tif 000029